(57)【要約】【課題】  主情報である曲データに加えて、曲のタイトル名、歌手名等の補助情報が含まれている場合でも、圧縮符号化された音声ストリームを正しく復号できるようにする。【解決手段】  入力信号５を受け取る信号入力部１と、入力信号５から同期信号を検出し、該検出した同期信号の出現パターンから入力信号５が復号可能か否かを判定する同期信号検出部２と、この同期信号検出部２により復号可能と判定された場合に入力信号５の復号処理を行って出力信号６を供給する信号処理部３とに加えて、入力信号５を解析し、この入力信号５中の補助情報がスキップされて曲データ箇所のみが同期信号検出部２へ転送されるように、信号入力部１から同期信号検出部２へのデータ転送開始位置及びデータ転送サイズを制御するホストコントローラ４を設ける。【選択図】      図１
2005031569.tif 000002
【特許請求の範囲】
【請求項１】
圧縮符号化された音声ストリームを復号するための音声再生装置であって、
音声再生に必須の主情報と付加的な補助情報とを含んだ入力信号を受け取る信号入力部と、
前記入力信号中の主情報から同期信号を検出し、該検出した同期信号の出現パターンから前記入力信号が復号可能か否かを判定する同期信号検出部と、
前記同期信号検出部により復号可能と判定された場合に前記入力信号の復号処理を行う信号処理部と、
前記入力信号中の補助情報が前記同期信号検出部に供給されることがないように、前記入力信号を解析し、該解析の結果に従って前記同期信号検出部への前記入力信号のデータ転送を制御するホストコントローラとを備えたことを特徴とする音声再生装置。
【請求項２】
請求項１記載の音声再生装置において、
前記ホストコントローラは、前記入力信号中の主情報である曲データ箇所のみが前記同期信号検出部へ転送されるように制御することを特徴とする音声再生装置。
【請求項３】
請求項１記載の音声再生装置において、
前記ホストコントローラは、前記同期信号検出部へのデータ転送開始位置及びデータ転送サイズを制御することを特徴とする音声再生装置。
【請求項４】
請求項１記載の音声再生装置において、
前記ホストコントローラは、前記同期信号検出部による判定が繰り返し行われて正しい判定結果が得られるように前記同期信号検出部へのデータ転送回数を制御することを特徴とする音声再生装置。
【発明の詳細な説明】
【技術分野】
【０００１】
本発明は、圧縮符号化された音声ストリームを復号するための音声再生装置に関するものである。
【背景技術】
【０００２】
近年のマルチメディア技術の進展により、ディジタル化された映像、音声、データといった複数のメディアを統合的に扱える機器、例えばＤＶＤプレーヤ、ディジタルＴＶ放送用チューナ等が普及し始めている。しかも、これらのマルチメディア機器が扱うべき入力コンテンツデータが多様化している。したがって、ＭＰＥＧ−１／２／３、ＤｏｌｂｙＡＣ−３、ＤＴＳ等の様々な規格に従って圧縮符号化された音声ストリームのいずれをも復号処理できるマルチ再生機能を持った音声再生装置が求められている。
【０００３】
音声再生装置におけるマルチ再生機能の実現のためには、どの規格に従って圧縮符号化された音声ストリームであるかを判定できることが重要である。この判定のためには、音声ストリーム中の同期信号の利用が有効である。
【０００４】
ある従来技術によれば、入力信号から特定のビット配列を持つ同期信号を検出するための同期信号検出部が設けられ、同期信号の出現パターンを利用することにより、ＰＣＭ記録方式の音声ストリームとＤＴＳストリームとが識別される。また、同期信号の出現パターン（出現間隔の頻度）から、入力信号が復号可能か否かが判定される（特許文献１参照）。
【特許文献１】特開２００１−１７６１９９号公報
【発明の開示】
【発明が解決しようとする課題】
【０００５】
例えばＭＰ３の場合、音声再生に必須の主情報である曲データに加えて、曲のタイトル名、歌手名等の補助情報が音声ストリーム中に含まれている。したがって、上記従来技術における同期信号検出部に入力信号を先頭からではなく、先頭から所定の位置だけずらして供給することとしても、入力信号の先頭に位置する補助情報が長い場合には、必ずしも本来復号可能である入力信号が復号可能と判定されるとは限らない。同期信号検出部に供給される補助情報が、当該同期信号検出部における判定を妨げるからである。
【０００６】
本発明の目的は、補助情報を含んだ音声ストリームを正しく復号できる音声再生装置を提供することにある。
【課題を解決するための手段】
【０００７】
上記目的を達成するため、本発明では、常に入力信号中の主情報である曲データ箇所のみが同期信号検出部へ供給されるようにした。
【０００８】
具体的に説明すると、本発明は、圧縮符号化された音声ストリームを復号するための音声再生装置において、音声再生に必須の主情報と付加的な補助情報とを含んだ入力信号を受け取る信号入力部と、前記入力信号中の主情報から同期信号を検出し、該検出した同期信号の出現パターンから前記入力信号が復号可能か否かを判定する同期信号検出部と、この同期信号検出部により復号可能と判定された場合に前記入力信号の復号処理を行う信号処理部と、前記入力信号中の補助情報が前記同期信号検出部に供給されることがないように、前記入力信号を解析し、該解析の結果に従って前記同期信号検出部への前記入力信号のデータ転送を制御するホストコントローラとを備えた構成を採用したものである。
【発明の効果】
【０００９】
本発明によれば、常に入力信号中の主情報である曲データ箇所のみが同期信号検出部へ供給されるようにしたので、補助情報を含んだ音声ストリームを正しく復号できる。
【発明を実施するための最良の形態】
【００１０】
以下、図面を参照しながら本発明の実施形態を説明する。
【００１１】
図１は、本発明に係る音声再生装置の構成例を示している。図１において、１は信号入力部、２は同期信号検出部、３は信号処理部、４はホストコントローラ、５は入力信号、６は出力信号である。入力信号５は、様々な規格に従って圧縮符号化された音声ストリームのいずれでもよく、音声再生に必須の主情報である曲データに加えて、曲のタイトル名、歌手名等の補助情報が当該音声ストリーム中に含まれることがある。信号入力部１は、不図示のＤＶＤディスク、パーソナルコンピュータ等から入力信号５を受け取る。同期信号検出部２は、入力信号５中の主情報から同期信号を検出し、該検出した同期信号の出現パターンから当該入力信号５が復号可能か否かを判定する。信号処理部３は、同期信号検出部２により復号可能と判定された場合に入力信号５の復号処理を行う。この信号処理部３から得られる出力信号６は、不図示の外部アンプ等を経てスピーカへ供給される。ホストコントローラ４は、入力信号５中の補助情報が同期信号検出部２に供給されることがないように、当該入力信号５を解析し、該解析の結果に従って同期信号検出部２への入力信号５のデータ転送を制御する。より具体的に言うと、ホストコントローラ４は、信号入力部１から同期信号検出部２へのデータ転送開始位置及びデータ転送サイズを制御するように、同期信号検出部２へ転送制御信号を与える。これにより、同期信号検出部２に与えられる入力信号５中の同期信号の出現間隔頻度も、ホストコントローラ４により制御されることとなる。なお、以下の説明では、少なくともＤＴＳストリームとＭＰ３ストリームとを信号処理部３が復号できるものとする。
【００１２】
図２は、補助情報を含まない入力信号５の例を示している。例えば、ＤＴＳストリームがこれに該当する。この場合には、入力信号５が同期信号及び曲データのみで構成されるため、ホストコントローラ４が入力信号５中のどの位置から同期信号検出部２へのデータ転送の開始を許しても、入力信号５中の曲データ箇所のみが同期信号検出部２へ供給されることとなる。したがって、同期信号検出部２により入力信号５が復号可能と判定され、信号処理部３から正しい出力信号６が得られる。
【００１３】
図３は、先頭及び末尾に補助情報を含んだ入力信号５の例を示している。例えばＭＰ３ストリームの場合、補助情報はＩＤ３タグと呼ばれるものに相当し、曲のタイトル名、歌手名等の情報を示す。図３のような入力信号５が与えられた場合、ホストコントローラ４は、入力信号５を解析して、入力信号５中の先頭の補助情報が長くても当該補助情報をスキップするように、信号入力部１から同期信号検出部２へのデータ転送を制御する。ＩＤ３ｖ１では入力信号５の末尾１２８バイトが補助情報であると確定しているので、ホストコントローラ４は、これら末尾１２８バイトの補助情報もまた同期信号検出部２に供給されることがないように、信号入力部１から同期信号検出部２へのデータ転送開始位置及びデータ転送サイズを制御する。したがって、同期信号検出部２は補助情報により妨げられることなく曲データ箇所から入力信号５が復号可能であると判定することができ、信号処理部３から正しい出力信号６が得られる。
【００１４】
なお、同期信号検出部２による判定が繰り返し行われて正しい判定結果が得られる可能性が上がるように、信号入力部１から同期信号検出部２へのデータ転送回数をホストコントローラ４が制御することとしてもよい。この場合、入力信号５中の異なる箇所が繰り返し同期信号検出部２に供給されることとなる。
【産業上の利用可能性】
【００１５】
以上説明してきたとおり、本発明に係る音声再生装置は、補助情報を含んだ音声ストリームを正しく復号できるという効果を有し、圧縮符号化された音声ストリームを復号するための音声再生装置等として有用である。
【図面の簡単な説明】
【００１６】
【図１】本発明に係る音声再生装置の構成例を示すブロック図である。
【図２】補助情報を含まない入力信号の例を示す図である。
【図３】補助情報を含んだ入力信号の例を示す図である。
【符号の説明】
【００１７】
１  信号入力部
２  同期信号検出部
３  信号処理部
４  ホストコントローラ
５  入力信号
６  出力信号
【図１】
2005031569.tif 000003
【図２】
2005031569.tif 000004
【図３】
2005031569.tif 000005